(57)【特許請求の範囲】
【請求項１】
ビデオ通話参加型テレビジョンシステムであって：
インターネットを介した異なる発信者からの複数のビデオ通話を接続するための複数のビデオ通話中央処理ユニット、ここで各ビデオ通話中央処理ユニットはビデオ通話専用であり；
放映される少なくとも１つのビデオ通話を選択するために出演タレント及びプロデューサによって使用される少なくとも１つのタッチ画面表示上のグラフィックユーザインタフェース、及び該出演タレントが放映される少なくとも１つのビデオ通話を選択し、前記出演タレントにより望まれる場合に、多数の発信者のビデオ及び音声を加えることを可能にする会議用制御装置を含む、発信者取得モジュール；及び
ビデオ配給業者に生配信するためにビデオ通話信号を準備し、送信するための出力ユニットを含み、
該プロデューサは、該発信者取得モジュールを用いて発信者の情報を該出演タレントの情報画面に送り、かつ「Ｇｏ」ボタンを押すことによって該発信者が出演を「承認された」ことを示し；かつ多数のビデオ通話中央処理ユニットからの全ての承認された発信者が、前記発信者取得モジュールによって発信者画面上に列挙される、前記ビデオ通話参加型テレビジョンシステム。
【請求項２】
前記発信者取得モジュールが、各ビデオ通話中央処理ユニット上で動作する、請求項１記載のビデオ通話参加型テレビジョンシステム。
【請求項３】
前記発信者取得モジュールが、各異なる発信者を表すための音声識別トーンを生成し、該音声識別をオンにする又はオフにする選択肢を有する、請求項１記載のビデオ通話参加型テレビジョンシステム。
【請求項４】
前記発信者取得モジュールが、ビデオ電話通話を行うためにインターネットを使用するボイスオーバーアイピー（ＶｏＩＰ）アプリケーションへの通信路を生成し、該通信路をオンにする又はオフにする選択肢を有する、請求項１記載のビデオ通話参加型テレビジョンシステム。
【請求項５】
前記ビデオ通話中央処理ユニットからのビデオをテレビジョンビデオに変換するための２つ以上のビデオ変換器をさらに含む、請求項１記載のビデオ通話参加型テレビジョンシステム。
【請求項６】
各ビデオ通話中央処理ユニットが、発信者用の文字識別又はビデオ通話文字オーバーレイを生成し、このような文字識別を前記ビデオ通話上に配置して、該ビデオ通話が現在は該ビデオ通話に統合されている文字と共に生のテレビジョンで使用可能なビデオ信号へ変換される、請求項１記載のビデオ通話参加型テレビジョンシステム。
【請求項７】
前記プロデューサが、前記発信者取得モジュールを使用して、
前記文字オーバーレイを定位置又は任意の予め設定された位置に設定すること、
該文字を前記画面のまわりに動かすこと、
該文字を特定の位置に固定すること、及び
該文字を隠すこと、を行う請求項６記載のビデオ通話参加型テレビジョンシステム。
【請求項８】
前記多数のビデオ通話中央処理ユニットからの全ての承認された発信者が、前記発信者取得モジュールによって発信者画面上に列挙される、請求項６記載のビデオ通話参加型テレビジョンシステム。
【請求項９】
前記多数のビデオ通話中央処理ユニットからの承認された発信者によって、承認された後に費やされた時間の量が、色分け及び／又は色合いを用いて前記発信者画面上に示され、かつ各発信者には優先度レベルが割り当てられ、前記プロデューサによって決定されたように、発信者の優先度が色分け及び／又は色合いを用いて該発信者画面上に示される、請求項８記載のビデオ通話参加型テレビジョンシステム。
【請求項１０】
前記出演タレントが、望む場合に、多数の発信者のビデオ及び音声を追加することを可能にする会議用制御装置をさらに含む、請求項１記載のビデオ通話参加型テレビジョンシステム。
【請求項１１】
前記会議用制御装置が、その上に配置した前記出演タレントの掌を忠実に描写している成型された掌を含み、
前記出演タレントが選択を行い且つテレビジョンカメラを見ている間、エラーを最小限にするために前記出演タレントの手及び指を適切に配置するのを支援し、
任意に、該出演タレントがビデオ選択を一連の所定のビデオ組み合わせにおける次のものにジャンプすることを可能にし、該出演タレントが該ビデオ選択を該出演タレントと一連の所定のビデオ組み合わせにおける少なくとも１人の発信者との次の組み合わせにジャンプすることを可能にし、
該出演タレントが自身を該ビデオ組み合わせの所定のシーケンスから取り除き、該シーケンスにおいて発信者のみを残すことを可能にし、又は
該出演タレントが１人の発信者を該画面及び該所定のシーケンスにおける後続のビデオ組み合わせ上の優位な（メインゲスト）位置に、位置させることを可能にする、請求項１０記載のビデオ通話参加型テレビジョンシステム。
【請求項１２】
前記発信者取得モジュールが、多数のトーンを介して前記出演タレントへの音声通信を生成し、前記会議用制御装置を通じて届けられたコマンドのステータスを示す、請求項１０記載のビデオ通話参加型テレビジョンシステム。
【請求項１３】
前記会議用制御装置が、前記出演タレントがオープニング、エンディング及びコマーシャルによる中断などの複数の基本番組要素を放映することを可能にし、該出演タレントがビデオ録画又はビデオスチルを放映することを可能にし、該出演タレントがビデオ組み合わせの所定のシーケンスを一時停止することを可能にし、又は該出演タレントが発信番組を録画することを可能にする、請求項１０記載のビデオ通話参加型テレビジョンシステム。
【請求項１４】
所定のシーケンスに従って次に予定されるビデオ画像用の、又は所定のシーケンスに従って前記出演タレントが次のカメラ出演のためにどこを見るかを矢印で示す現在のビデオ画像用の、各テレビジョンカメラに隣接する「警告タリー」光源をさらに含む、請求項１記載のビデオ通話参加型テレビジョンシステム。
【請求項１５】
前記「警告タリー」光源が、前記会議用制御装置を介する前記出演タレントによる前記所定のシーケンスに対する変更に従って、動的に調整される、請求項１４記載のビデオ通話参加型テレビジョンシステム。
【請求項１６】
前記ビデオ通話中央処理ユニットが、前記ＶｏＩＰアプリケーションの自動的な音声ゲイン制御をアクティブに保つ目的のために発信者への戻し音声フィードの一部として、ほとんどの人間の聴覚範囲外の変動周波数の音声トーン（スイープトーン）を生成する、請求項４記載のビデオ通話参加型テレビジョンシステム。
【請求項１７】
前記ビデオ通話中央処理ユニットから利用可能な多数の発信者からの発信者のビデオ及び音声の選択において、前記出演タレントを支援するホスト自動化モジュールをさらに含む、請求項１記載のビデオ通話参加型テレビジョンシステム。
【請求項１８】
前記発信者が、前記プロデューサによって出演を予め承認されている、請求項１７記載のビデオ通話参加型テレビジョンシステム。
【請求項１９】
前記ホスト自動化モジュールが、前記多数のビデオ通話中央処理ユニットから利用可能なビデオ選択肢と出演タレントのカメラ選択肢との組み合わせに基づいて、次のビデオショット又はショットの組み合わせを自動的に決定し、信号を前記出演タレントに送って、次に放映されるビデオソース又はビデオソースの組み合わせを示し、その後該ビデオソース又は組み合わせがビデオスイッチャーによって放映され、任意に、該ホスト自動化モジュールによって該出演タレントに送られた該信号が、光信号、文字メッセージ、又は画面上のアイコンメッセージを含む、請求項１７記載のビデオ通話参加型テレビジョンシステム。
【請求項２０】
前記ホスト自動化モジュールが、前記プロデューサによって準備された、ショットシーケンス及びシンプルテキストランゲージで記述されたタイミングを含むショットランダウンルーチンに基づく、前記多数のビデオ通話中央処理ユニットから利用可能なビデオ選択肢の組み合わせに基づいて、次のビデオショット又はショットの組み合わせを自動的に決定するか、リアルタイムで前記出演タレントによって選択された変更に基づいて、現在のシーケンスを動的にオーバーライドし、該多数のビデオ通話中央処理ユニットからその時点でそれに利用可能な該ビデオ選択肢に基づいて該次のビデオショット又はショットの組み合わせを決定するか、又は、ステータスコマンドの複数のトーンによって該出演タレントに信号を送る、請求項１７記載のビデオ通話参加型テレビジョンシステム。
【請求項２１】
前記出演タレントが、前記ビデオ通話中央処理ユニット若しくは前記ホスト自動化モジュールとは別の場所にいるか、又は前記プロデューサが、前記ビデオ通話中央処理ユニット若しくは前記ホスト自動化モジュールとは別の場所にいる、請求項１記載のビデオ通話参加型テレビジョンシステム。
【発明の詳細な説明】
【技術分野】
【０００１】
（優先権の主張）
本出願は、引用により各々の全容が本明細書中に組み込まれている2013年8月14日出願の国際出願第PCT/US2013/54924号の部分継続、及び2012年8月20日出願の米国特許出願第13/589,643号の部分継続である2014年6月30日出願の米国特許出願第14/320,567号の優先権を主張するものである。
【０００２】
（技術分野）
本発明は、多数のインターネットビデオ通話及び関連した会議用装置を含むビデオ番組の制作のためのプロセス及びシステムに関する。
【背景技術】
【０００３】
（背景）
サービス/ソフトウェアを介した安価なビデオ電話、例えば、Skype（登録商標）の出現が、発信者ベースのトークラジオのビデオ版の可能性の扉を開いた。ビデオ電話は、テレビジョンのニュース及び限られた数のインタビュー用のインタビュー番組で使用されているが、多数の視聴者がショーに電話を掛ける番組は、制作にかかる費用便益、技術的な複雑さ、及び視聴者が視聴できる選択肢の増加によって細分化された視聴者からの限られた収益の問題により普及していない。
【０００４】
商業的なテレビ番組制作は、収益が番組のコストを上回る場合には経済的に成功するが、テレビ局の数が増加したため、視聴者が分散し、多くの場合、得られる収益が低下している。結果として、多くのコンテンツサービスは、コスト削減の圧力にさらされ、独自のコンテンツを定期的に制作する余裕がなく、既に放映された録画コンテンツの再放送に追いやられ、このようなコンテンツは、代わりの視聴選択肢及びデジタルビデオ録画機の出現で利益が減少している。これは、昼間の時間帯の二次及び三次ケーブルネットワーク及び地方テレビ局で特に顕著であり、ゴールデンタイムでも一部の事業は同様である。独自の生番組は、一般に、このようなテレビ局にとっては法外な費用がかかる。
【０００５】
番組コストの主な項目は、技術機器、遠隔地からのコンテンツの取得、及び人員のコストを含む番組の実際の制作で発生する項目である。技術及び制作の人員数は、多くの場合、制作の複雑さ、及び一般の用途のために設計されたスタジオ及び制御室の広範な業務に直接関連するため、番組の種類に関わらず最小限のハイレベルのスタッフの配置が必要である。多くの場合、テレビ網で生の制作に用いられる基本的なスタジオは、テクニカルディレクタ（多数のビデオ入力の切り替えを行う者）、音響技術者、並びに様々な名称及びタイトルの作成及びビデオストリームへの挿入を担当する文字作成機操作者の最小限の技術クルーを必要とする。加えて、プロデューサ、及び適切な名称が文字作成機操作者に伝達されているかなどの事項を確認する様々な制作アシスタントを含む制作スタッフも必要である。1シフトで1つのテレビ局のスタジオに必要なスタッフ配置の1年間の人件費は、出演タレントの支払いを除いても50万ドルを超える。対照的に、ラジオの制作では、出演タレントが、自身で「制御盤」の制御を行う場合も多いため、遥かに少ない人員で済み、別の音響スタッフ、テクニカルディレクタ、又は文字作成機操作者を必要としない。トークラジオ形式の場合には、プロデューサは出演タレントと共に、一般大衆からかかってくる電話を予め審査して調整する場合が多い。
【発明の概要】
【課題を解決するための手段】
【０００６】
（概要）
ビデオ通話参加型テレビジョンシステムは、インターネットを介した異なる発信者からの複数のビデオ通話を接続するための複数のビデオ通話中央処理ユニット、放映される少なくとも１つのビデオ通話を選択するために出演タレント及びプロデューサによって使用される少なくとも１つのタッチ画面表示上にグラフィックユーザインタフェースを含む発信者取得モジュール、及びビデオ配給業者に生で送信するためにビデオ通話信号を準備し、送信するための出力ユニットを含み得る。各ビデオ通話中央処理ユニットはビデオ通話専用である。テレビジョンは、放送、ビデオストリーミング、又はこれらの組み合わせを含み得る。インターネットを介した放送、送信、又は接続は、セル方式、携帯電話、衛星、Wi−Fi、マイクロ波、他の方式、又はこられの組み合わせを含む無線又は有線技術によるデータの送信を含み得る。
【０００７】
一態様では、発信者取得モジュールは、各ビデオ通話中央処理ユニット上で動作する。
【０００８】
別の態様では、発信者取得モジュールは、発信者ごとの音声識別トーンを生成し、音声識別をオンにする又はオフにする選択肢を有する。
【０００９】
別の態様では、発信者取得モジュールは、ビデオ電話通話を行うためにインターネットを使用するボイスオーバーアイピー（VoIP）アプリケーションへの通信路を生成し、通信路をオンにする又はオフにする選択肢を有する。
【００１０】
別の態様では、ビデオ通話参加型テレビジョンシステムは、ビデオ通話中央処理ユニットからのビデオをテレビジョンビデオに変換する2つ以上のビデオ変換器を含み得る。
【００１１】
別の態様では、各ビデオ通話中央処理ユニットは、発信者の文字識別又はビデオ通話文字オーバーレイを生成し、このような文字識別をビデオ通話上に配置してから、ビデオ通話を、現在はビデオ通話に統合されている文字と共に生のテレビジョンで使用可能なビデオ信号に変換する。プロデューサは、発信者取得モジュールを使用して、文字オーバーレイを定位置又は任意の予め設定された位置に設定し、文字を画面のまわりに動かし、文字を特定の位置に固定し、文字を隠す。プロデューサは、発信者取得モジュールを使用して、発信者の名前、発信者の都市、発信者の話題、及び発信者の他の情報を文字オーバーレイに入力することもできる。プロデューサは、発信者取得モジュールを使用して、発信者の情報を出演タレントの情報画面に送り、「Go」ボタンを押すことによって発信者の出演が「承認された」ことを示すこともできる。多数のビデオ通話中央処理ユニットからの全ての承認された発信者が、発信者取得モジュールによって発信者画面上に列挙される。
【００１２】
別の態様では、多数のビデオ通話中央処理ユニットから承認された発信者によって、承認後に費やされた時間の量は、色分け及び/又は色合いを用いて発信者画面上に示される。各発信者には優先度レベルが割り当てられ、発信者の優先度は、プロデューサによって決定されたように、色分け及び/又は色合いを用いて発信者画面上に示される。
【００１３】
別の態様では、ビデオ通話参加型テレビジョンシステムは、出演タレントが、望ましい場合に多数の発信者のビデオ及び音声を追加することを可能にする人間工学的に設計された会議用制御装置を含む。人間工学的に設計された会議用制御装置は、出演タレントの掌を忠実に描写している成型された掌を含み、出演タレントが選択を行い且つテレビジョンカメラを見ていながらエラーを最小限にするために、出演タレントの手及び指を適切に配置するのを支援するように配置されている。
【００１４】
別の態様では、人間工学的に設計された会議用制御装置は、出演タレントがビデオ選択を一連の所定のビデオ組み合わせにおける次のものにジャンプすることを可能にする。
【００１５】
別の態様では、人間工学的に設計された会議用制御装置は、出演タレントがビデオ選択を出演タレントと一連の所定のビデオ組み合わせにおける少なくとも1人の発信者との次の組み合わせにジャンプすることを可能にする。
【００１６】
別の態様では、人間工学的に設計された会議用制御装置は、出演タレントが自身をビデオ組み合わせの所定のシーケンスから取り除き、シーケンスにおいて発信者のみを残すことを可能にする。
【００１７】
別の態様では、人間工学的に設計された会議用制御装置は、出演タレントが1人の発信者を画面及び所定のシーケンスにおける後のビデオ組み合わせ上の優位な（メインゲスト）位置に、位置させることを可能にする。
【００１８】
別の態様では、発信者取得モジュールは、多数のトーンを介して出演タレントへの音声通信を生成し、人間工学的に設計された会議用制御装置を通じて届けられたコマンドのステータスを示す。
【００１９】
別の態様では、人間工学的に設計された会議用制御装置は、出演タレントがオープニング、エンディング及びコマーシャルによる中断、ビデオ録画又はビデオスチルなどの複数の基本番組要素を放映し、及びビデオ組み合わせの所定のシーケンスを一時停止し、又は発信番組を録画することを可能にする。
【００２０】
別の態様では、ビデオ通話参加型テレビジョンシステムは、所定のシーケンスに従って次の予定されるビデオ画像用の出演タレントが次のカメラ出演のためにどこを見るかを、又は所定のシーケンスに従って、矢印で示す、現在のビデオ画像用の各テレビジョンカメラに隣接する「警告タリー（warning tally）」光を含む。
【００２１】
別の態様では、「警告タリー」光は、人間工学的に設計された会議用制御装置を介する、所定のシーケンスへの出演タレントによる変更に従って動的に調整される。
【００２２】
別の態様では、ビデオ通話中央処理ユニットは、VoIPアプリケーションの自動的な音声ゲイン制御をアクティブに保つ目的のための発信者への戻し音声フィードの一部として、ほとんどの人間の聴覚範囲外の変動周波数の音声トーン（スイープトーン）を生成する。
【００２３】
別の態様では、ビデオ通話参加型テレビジョンシステムは、ビデオ通話中央処理ユニットから利用可能な多数の発信者からの発信者のビデオ及び音声の選択において出演タレントを支援するホスト自動化モジュールを含む。発信者は、プロデューサによって出演を予め承認されている。
【００２４】
別の態様では、ホスト自動化モジュールは、多数のビデオ通話中央処理ユニットから利用可能なビデオ選択肢及び出演タレントのカメラ選択肢の組み合わせに基づいて、次のビデオショット又はショットの組み合わせを自動的に決定し、信号を前記出演タレントに送って、放映される次のビデオ及び/又は音声ソース（例えば、発信者、カメラ、スチル、録画済ビデオ、及び/又は音声）を示し、その後該ソースがビデオ/音声スイッチャー/ミキサーによって放映される。ホスト自動化モジュールによって出演タレントに送られた信号は、光信号、文字メッセージ、又は画面上のアイコンメッセージであり得る。
【００２５】
別の態様では、ホスト自動化モジュールは、プロデューサによって準備されたショットシーケンス及びシンプルテキストランゲージ(simple text language)で記述されたタイミングを含むショットランダウンルーチンに基づく、多数のビデオ通話中央処理ユニットから利用可能なビデオ選択肢の組み合わせに基づいて、次のビデオショット又はショットの組み合わせを自動的に決定する。
【００２６】
別の態様では、ホスト自動化モジュールは、リアルタイムで出演タレントによって選択された変更に基づいて現在のシーケンスを動的にオーバーライドし、多数のビデオ通話中央処理ユニットから、その時点でそれが利用可能なビデオ選択肢に基づいて次のビデオショット又はショットの組み合わせを決定する。
【００２７】
別の態様では、ホスト自動化モジュールは、ステータスコマンドの複数のトーンによって出演タレントに信号を送る。ホスト自動化モジュールは、利用可能な選択肢及び動作を記録する。
【００２８】
別の態様では、ホスト自動化モジュールは、通信用及びモジュラリティ用の少なくとも1つのアプリケーションプログラミングインタフェースを含む。
【００２９】
別の態様では、出演タレント又はプロデューサは、ビデオ通話中央処理ユニット又はホスト自動化モジュールとは別の場所にいる。
【００３０】
別の態様では、異なる周波数の複数の別個の音声トーンを使用して、ビデオ通話中央処理ユニットを識別する。
【００３１】
別の態様では、発信者は、戻しビデオをリアルタイムで見て、該戻しビデオは、発信者の情報と共に文字オーバーレイを含み得る。
【００３２】
「テレビジョンビデオ」という語は、コンピュータベースのビデオ出力、例えば、DVI、HDMI、及びVGAからの変換後のアナログ、デジタル、コンポーネント、コンポジット、及びSDIのタイプのビデオ信号を含む、アナログ、デジタル、コンポーネント、コンポジット、及びSDIを含む従来の生のテレビジョン制作の技術的な側面の範囲内で使用される任意の形態のビデオ信号を含むが、通常のコンピュータビデオモニタ出力、例えば、DVI、HDMI、及びVGAを生成する従来のコンピュータの範囲内のビデオ処理は含まない。テレビジョンビデオとの関連において、ビデオをテレビジョンビデオに「変換する（convert）」、「変換する（converts）」、又は「変換する（converting）」という語は、テレビジョンビデオを「生成する（generate）」、「生成する（generates）」、又は「生成する（generating）」という語と同義である。
【００３３】
「ある（a）」及び「ある（an）」という語は、本開示に特段の記載がない限り、1つ以上として定義される。
【００３４】
「含む（comprise）」（及び含む（comprise）の任意の形、例えば、「含む（comprises）」及び「含む（comprising）」）、「有する（have）」（及び有する（have）の任意の形、例えば、「有する（has）」及び「有する（having）」、「含む（include）」（及び含む（include）の任意の形、例えば、「含む（includes）」及び「含む（including）」）、並びに「含む（contain）」（及び含む（contain）の任意の形、例えば、「含む（contains）」及び「含む（containing）」）は、オープンエンドの連結動詞（open−ended linking verb）である。結果として、1つ以上のステップ又は要素を「含む（comprises）」、「有する（has）」、「含む（includes）」、又は「含む（contains）」方法又は装置は、それらの1つ以上のステップ又は要素を有するが、それらの1つ以上の要素をのみを有することに限定されない。同様に、1つ以上の特徴を「含む（comprises）」、「有する（has）」、「含む（includes）」、又は「含む（contains）」方法のステップ又は装置の要素は、それらの1つ以上の特徴を有するが、それらの1つ以上の特徴のみを有することに限定されない。さらに、特定の方法で構成される装置又は構造は、少なくともその方法で構成されるが、列記されていない方法で構成しても良い。
【００３５】
Skype（登録商標）は、インターネットプロトコルビデオサービスの一例として使用されるが、他のブランドの及びノーブランドのIPビデオサービス及びアプリケーションを代用してもよい。
【００３６】
ビデオ配給業者は、音声、ビデオ、及び/又はマルチメディアコンテンツを制作し、及び/又は消費者に直接的に又は卸売業者として間接的に配給するエンティティを含み得、そのような配給は、ブロードキャストテレビジョン、ケーブルテレビジョン、衛星テレビジョン、電話システム、データ、IPビデオ、インターネット、及び有線又は無線手段を使用する任意の他の配給形態を介するものである。
【００３７】
他の特徴及び関連した利点は、添付の図面と共に特定の実施態様の以下の詳細な説明を読めば明らかになるであろう。
【図面の簡単な説明】
【００３８】
（図面の説明）
【図１】図1は、ビデオ通話センターシステムを示す概略図である。
【図２】図2は、ビデオ通話センターシステムを示す図である。
【図３】図3は、ビデオ通話センターシステムを示す図である。
【図４】図4は、ビデオ通話センターシステムを示す図である。
【図５】図5は、ビデオ通話センターシステムを示す概略図である。
【図６】図6は、ビデオ通話センターシステムを示す概略図である。
【図７】図7は、ビデオ通話センターシステムを示す概略図である。
【図８】図8は、ビデオ通話センターシステムを示す図である。
【図９】図9は、ビデオ通話センターシステムを示す図である。
【図１０】図10は、ビデオ通話センターシステムを示す図である。
【図１１】図11は、ビデオ通話センターシステムを示す図である。
【図１２】図12は、ビデオ通話センターシステムを示す図である。
【図１３】図13は、ビデオ通話センターシステムを示す図である。
【図１４】図14は、ビデオ通話センターシステムを示す図である。
【図１５】図15は、ビデオ通話センターシステムを示す図である。
【図１６】図16は、ビデオ通話センターシステムを示す図である。
【図１７】図17は、ビデオ通話センターシステムを示す図である。
【図１８】図18は、ビデオ通話センターシステムを示す図である。
【図１９】図19は、ビデオ通話センターシステムを示す図である。
【図２０】図20は、ビデオ通話センターシステムを示す図である。
【図２１】図21は、ビデオ通話センターシステムを示す図である。
【図２２】図22は、ビデオ通話センターシステムを示す図である。
【発明を実施するための形態】
【００３９】
（詳細な説明）
ビデオ通話センターのプロセス及びシステムは、多数の同時ビデオ発信者から、テレビ放送されるビデオ番組をコスト効率良く制作することができる。関連するビデオ通話文字オーバーレイは、放送中に多数の同時発信者を追跡及び識別するのに役立ち得る。出演タレントは、タッチ画面で選択された発信者のビデオミキシングを行うことができる。ビデオ発信者の関連する音声の切り替え及び会議開催を、特殊な切り替え制御装置によって行うことができる。
【００４０】
ビデオ通話センターのプロセス及びシステムは、今日の細分化された映像配給で利用可能な比較的少人数の視聴者でも可能な低レベルの経済力で対応できるビデオ通話参加型テレビ番組の開発を効率的に可能にすることができる。生のビデオ通話参加型番組の制作は、トークラジオで見られるようにプロデューサと出演タレントを含め、僅か二人で実施することができる。
【００４１】
プロデューサは、入ってくる個々のインターネットビデオ通話を審査及び調整し、かつ各通話に対して文字情報（即ち：「シカゴ在住のビル」）をコンピュータビデオ表示に挿入し、これにより、放映中にビデオ通話を発信する際にすぐに必要になる情報を出演タレントに伝達する。一部の実施態様では、コンピュータビデオがテレビジョンビデオに変換される前に文字を挿入することができる。
【００４２】
出演タレントは、タッチ画面（及び/又は会議用ミキサー制御装置）及び特殊な音響機器によって放映される通話を物理的に選択することができる。画像に埋め込まれた文字情報を用いて、出演タレントは、一切の他の情報なしで、タッチ画面をタッピングして、新たな発信者にスムーズに移行することができる（即ち：「今からビルが通話に出ます。こんにちは、ビル。シカゴはいかがですか？」）。
【００４３】
本システムは、複数の主な構成要素を有し得る。図1に示されているように、ブロックAは、各ビデオ発信者に対してリアルタイムで次の動作を行うことができる2つ以上のビデオ通話中央処理ユニット（ビデオ通話CPU（以降、ビデオ通話CPUの必要な機能を実施する仮想マシンを含む）：
a）インターネットを介してビデオ通話（関連する音声を伴う）を発信又は受信すること、
b）発信者（即ち、シカゴ在住のビル）に対して選択された文字識別又はビデオ通話文字オーバーレイを生成し、このような文字を手動又は自動入力で通話映像に配置すること、
c）文字を含む通話映像が生のテレビジョン制作に使用可能なビデオ信号に変換される前に、ビデオのサイズ及び位置を画面上で選択すること、
d）ビデオ通話についての埋め込まれた情報を収集して、このような情報を他の通話特性と共にデータベースに保存するための準備をすること、
e）b（上記）から選択された文字識別を他の通話特性と共にデータベースに保存するための準備をすること、
f）データベースへの保存及びタレント用の別の表示の両方の準備としてリアルタイムでのプロデューサの注記の入力を可能にすること、
g）全ての情報をローカルデータベースに保存すること、
h）異なる中央処理ユニットよって動作するデータベースと通信して、このデータベースに情報を保存すること、
i）ローカル又は遠隔データベースに以前に保存された情報を表示すること、
j）音声を発信者に戻すこと、及び
k）ビデオを発信者に戻すこと。
【００４４】
一部の実施態様では、上述の機能を果たす通話CPUは、出演中又は出演の準備が行われているそれぞれの発信者専用とすることができる。通話CPUの数は、特定の出演申し込みでの審査プロセス及び列をなした待機に望ましい通話の数によって変動する。
【００４５】
ブロックBは、テレビジョンビデオ変換器であり、CPU/ブロックA（通話文字オーバーレイを含む）の標準的なコンピュータビデオ出力（例えば、DVI又はVGA）によってビデオの選択された部分を取り出して、このビデオを、シリアルデジタルインターフェイス（SDI）により通常のテレビジョン制作機器、例えば、ビデオによって使用可能なテレビジョンビデオ信号に変換する。ビデオ変換器は、スタンドアロン装置としても良いし、又は追加のプロセスもしくは基板としてビデオ通話CPUの容器内に収容しても良い。好ましい実施態様では、テレビジョンビデオ変換器は、各CPU専用とするが、様々なビデオ通話のフィードは、1つのテレビジョンビデオ変換器による処理のためにサブスイッチによって予め選択することができる。これは、出演タレントが利用できる通話の選択肢の数を制限するが、必要なテレビジョンビデオ変換器の数を減少させる。
【００４６】
ブロックCは、テレビジョンビデオミキシング装置であり、多数の通話CPU及び関連するテレビジョンビデオ変換器源、又は制作に必要な他のビデオソースからの様々なテレビジョン画像の選択を可能にする。ブロックCのビデオ出力は、送信の準備としてブロックFに進み、（コンピュータが受け入れることができるビデオ形式に戻された後に）各ビデオ通話CPUに直接戻る、又は文字作成システム（ブロックL）によって現在放映中の画像及び発信者への文字情報の両方を発信者に供給する。
【００４７】
ブロックDは、タッチ画面表示選択装置であり、出演タレントが使用して、ブロックCによって直接、又はホスト自動化モジュール（ブロックS）のスクリプティングシステム及び関連ビデオ及び/又は音声リレー（ブロックR1、R2、Q1及びQ2）を介して利用可能にされたブロックA及びブロックBから得た多数の発信者から出演する次の発信者を選択する。タッチ画面の多数のボックス内のビデオは、各待機発信者からのものであり、このような各発信者のビデオは、ブロックA（c）からの通話文字オーバーレイ識別子（シカゴ在住のビル）を含む。
【００４８】
ブロックEは、特殊な音声ミキサーであり、全ての発信者が、互いにかつタレントの音声を聞くことができるが、発信者自身は聞くことができないように個別の音声を各ビデオ通話CPUに（従って、個人の発信者にも）戻すことができる。これは、発信者に戻る該発信者の声の非常に困惑する著しい遅延となり得る、インターネットビデオ発信における様々な処理及び送信の遅延のために必要である。このような個別の戻し音声のフィードは、当業界では、音声マトリックス又は「ミックスマイナス」として知られている。
【００４９】
ブロックFは、ビデオ配給業者に生で送信するための最終の音声及びビデオ信号を準備する符号化プロセス/ユニットである。代替の実施態様では、ブロックFは、ビデオミキシング装置、ブロックCの出力段階で組み入れられる。
【００５０】
ビデオ配給業者は、音声、ビデオ、及び/又はマルチメディアコンテンツを制作し、及び/又は消費者に直接的に又は卸売業者として間接的に配給するエンティティを含み得、そのような配給は、ブロードキャストテレビジョン、ケーブルテレビジョン、衛星テレビジョン、電話システム、データ、IPビデオ、インターネット、及び有線又は無線手段を使用する任意の他の配給形態を介するものである。
【００５１】
ブロックGは、ビデオ通話データベース用の別のCPU、ビデオ通話CPUに対する任意のプロデューサ中央制御装置、及びプロデューサによって承認された通話をホスト自動化モジュールに示す目的のための通話CPUとホスト自動化モジュール（ブロックS）の間の通信ポイントである。
【００５２】
ブロックHは、発信者の話題又は特徴及びテレビ番組を調整するために必要な他の情報に関するプロデューサからの文字メッセージを含むタレント用の情報画面である。このようなメッセージは、ビデオ通話データベース、ブロックGから取り出した発信者情報も含み得る。
【００５３】
ブロックIは、出演タレントを撮影する1つ以上のビデオカメラ、又はその時点で制作されている番組に関連した他のビデオソースである。
【００５４】
ブロックR1及びR2は、プロデューサによって通話が承認され、リレーを閉じ、ビデオが通過可能になるまで、入ってくる通話映像を遮断するビデオリレースイッチである。
【００５５】
ブロックQ１及びQ2は、プロデューサによって通話が承認され、リレーを閉じ、ビデオが通過可能になるまで、入ってくる通話音声を遮断する音声リレースイッチである。
【００５６】
ブロックJは、タレントが、望ましい場合に多数の発信者の音声及び/又は映像を追加する、必要に応じて1人の発信者を音声システムに復帰させる、又は必要な場合に全ての発信者のビデオ及び音声を中断することを可能にする人間工学的に設計された特殊な会議用ミキサー制御装置である。会議用ミキサー制御装置は、音声及びビデオの両方を取り扱うこともできる。ブロックEは、音声（ブロックQ１及びQ2）及び/又は映像（ブロックR1及びR2）信号のオンオフを制御する音声ミキサーの前に一連のリレーを有し得る。一部の実施態様では、音声制御信号を送信することにより、出演タレントの制御装置（ブロックJ）は、音声ミキサーの前に音声及び/又は映像を公開又は遮断する一連のリレーを（ホスト自動化ツールモジュール（ブロックS）（HAT）の様々なスクリプトによって）駆動させるように設計することができる。受信を中継する制御信号は、ホスト自動化ツールモジュール（HAT）からのシリアル/RS232又はUSB制御データとすることができる。従って、音声のオンオフの切り替えは、ミキサーの前で行うことができる。
【００５７】
ブロックKは、ブロックC、ビデオミキサーのテレビジョンビデオ出力をコンピュータによって処理することができるビデオに変換する。
【００５８】
ブロックLは、文字メッセージオーバーレイを生成してブロックKからのビデオに追加し、このビデオが、全てのビデオ通話CPUに戻される、従って発信者への戻しビデオとして戻される。一部の実施態様では、ビデオを発信者に戻すプロセスは、テレビジョンビデオをアナログに変換すること、文字を挿入すること、及び発信者に返信するために組み合わせ画像をコンピュータビデオに変換することを含む。
【００５９】
ブロックPは、プロデューサ制御点であり、ビデオ通話CPUにおけるビデオ通話を直接、又は任意の制御CPUを介して監視及び制御する機能を備え、この機能は、発信者文字オーバーレイの入力、及びビデオ通話CPUからの、又は各ビデオ通話CPU専用である場合はテレビジョンビデオ変換器からの（発信者文字オーバーレイを含む）ビデオ出力の連続的なビデオ監視を含む。入ってくる音声は監視され、戻し音声は、各発信者とコミュニケーションをとるためにプロデューサが中断することができる。
【００６０】
図2に、インストールされたビデオ通話センターシステムの一実施態様が示されている。
【００６１】
図1に示されているように、放映中は、TVビデオ通話システムは、プロデューサと出演タレントの2人によって操作されることになっており、発信者の負荷又は番組の複雑さによって追加のプロデューサを必要とすることがある。プロデューサは、ブロックP、プロデューサ制御点（図3に図示）で、入ってくる通話を審査し、発信者文字オーバーレイ（シカゴ在住のビル）を決定して入力し、そしてブロックHで示される表示で見ることができるように話題及びタレントへの他の注記を入力する。コンピュータから入ってくる音声は増幅することができる。プロデューサは、通話及び文字オーバーレイを確立するときに、スイッチの「監視」側を使用して発信者の話を聞く。プロデューサは、準備ができたら「放映」に切り替えることができる。一部の実施態様では、ハードウェアスイッチは、通話CPU内でソフトウェア「GO」スイッチと代えてもよく、通話CPUが、通話が「承認」されていることをホスト自動化モジュール（複数可）に伝達した後、ホスト自動化モジュールが、適切な音声及びビデオリレーを閉じて、ホスト及びビデオミキサーに通話を利用可能にさせる。
【００６２】
一部の実施態様では、図4に示されているように、プロセスは、以下のようにすることができる：
1）通話を受け取ったときに、プロデューサが、文字入力ボックスに市及び発信者の氏名を入力する。プロデューサは、話題、又は適切なその他の関連情報も含めることができる（図4の「入ってくる通話の前処理」）。
2）発信者情報を、入ってくる発信者の画像の所定の位置に所定のフォントで（ドロップシャドウオプションを用いて）迅速に表示する（図4の「画像の設定」）。
3）画像を切り取ってテレビジョンビデオに変換する。発信者情報を常に画像の一部とすることで、ペースの速いショーで、どの発信者かという質問を排除することができる。さらに、タレント及び文字への後の正確な入力を確実にする助手が必要ない（図4の「放映準備ができた画像」）。
【００６３】
図2〜4は、図5に示されている構成を反映している。入ってくるビデオ/音声信号は、トグルスイッチに向けられる。次に、音声信号は、音声リレー及び音声ミキサーに向けられ放映される。図5は、戻し音声信号も示す。同様に、ビデオ信号は、音声リレー及び音声ミキサーに向けられ放映される。戻しビデオ信号は、システムによって通話CPUにも向けられる（図5には不図示）。
【００６４】
図11に示されているように、出演タレントは、自身のタッチ画面上の出演可能な発信者の画像及びビデオ発信者文字オーバーレイを見て、望ましい発信者の画像をタッピングして出演が望ましい次のビデオ発信者を選択する。ここで、この発信者が出演する。ブロックJ、特殊な音声会議用ミキサー制御装置によって追加の発信者からのビデオ及び/又は音声を選択することにより、出演タレントが、多数の別の発信者を放映中の会話に参加させることができる一方、該出演タレントは、参加している発信者の多数のビデオ画像の中から独自に選択する。出演タレントは、次のビデオ発信者に移る準備ができたら会議を中立にする。タッチ画面による画像の選択に加えて、タレントのビデオ画像の選択は、ブロックE内のリレーによって可能になる音声作動式切り替え法と音声が続くビデオとの組み合わせによって一部自動化することができる。
【００６５】
ビデオ通話が、ビデオ通話CPUで受信されると、発信者に応対したプロデューサが、発信者文字オーバーレイの文字を画面の一部に入力し、このような文字は、ビデオ通話CPUの画面（複数可）のビデオ発信者部分におけるビデオ発信者の上の所定の位置に表示される。このような文字は、その目的のために特別に設計された画面上のボックス内に入力する、又はデータベースフォームに入力することができる。いずれの場合も、文字は、入力されるとボックス/フォーム、及び発信者のビデオ上の両方に出現する。発信者の識別情報が、利用可能な通話データから取り出され、データベースウィンドウのセルとしてプロデューサの制御画面上に示される。発信者に関する追加の関連情報、法的免責事項を、プロデューサがデータベースフォームに入力することができる。話題の情報及び出演タレントの注記も、データベースフォームに入力されるが、タレントへのこのような情報は、タレントの情報画面、（H）に即座に送信される。発信者識別情報が、中央データベース（G）の検索を自動的に開始させ、存在する全ての情報が、プロデューサが通話審査プロセスで使用するためにビデオ通話CPUでデータベースフォームに戻される。ビデオ通話CPUでデータベースフォームに入力された新しい情報は、通話が終了すると中央データベースに保存される。追加の関連する番組の詳細、例えば、日付、放映時間、ショーの名称、タレント、プロデューサが、ログインで入力され、各データベースエントリ内に保持される。
【００６６】
ビデオ通話文字オーバーレイは、従来の文字作成機操作者及び関連した制作アシスタントの必要性をなくし、ペースの速いショーの最中に誰が通話しているかの混乱が生じないようにする。従来、テレビジョンの文字は、テレビジョン型ビデオの切り替えプロセスの最中又は後に挿入されるため、入ってくる通話とその通話に付される氏名との間の調整が必要である。本実施態様では、文字は、入ってくるビデオ通話を処理しているコンピュータの内部で挿入され、その後コンピュータビデオがテレビジョンビデオに変換される。これにより、文字は、プロセスの間中、発信者の画像に付されたままである。
【００６７】
出演タレントがタッチ画面の発信者選択を使用することにより、通常は、遠隔ビデオのタレントの画像を切り替える技術ディレクタが必要なくなる一方、出演タレントに、ビデオタッチ画面及びカスタマイズされた音声会議用ユニットによって番組のコンテンツの流れを制御させる。
【００６８】
会議用ミキサー制御装置（図1のブロックJ）は、人間工学的に設計することができる。これにより、出演タレントが、カメラから下を向かずに各発信者のビデオ及び/又は音声のオンオフを制御することができ、しかも誤ったボタンを押す可能性が低下する。
【００６９】
一部の実施態様では、プロデューサ−発信者通信は、図6に示されているように通信マトリックスを介してもよい。発信者取得ツール（CAT）は、発信者データを記録し、検索し、それを通話審査者、制作スタッフに提示する処理を合理化するために含まれる。トグルスイッチは、プロフェッショナル通信マトリックス（ClearCom又は図6のComms）、及びサーバを介して通話CPU上で動作しているCAT上のソフトキーに置き換えることができる。通話プロデューサは、CAT画面上でGOをクリックすることで通話を承認することができ、CATサーバを介してシリアルメッセージをHATに送る。HATは、メッセージを送って、適切なビデオリレーを閉じ、通話をホスト及びスイッチャーに対して利用可能にさせる。プロデューサがトグルを放映に切り替える場合には（図13〜22も参照）、現在、リレーは閉じている。同様に、音声信号は、放映される音声リレー及び音声ミキサーにも向けられる。図6は、戻し音声信号も示す。戻しビデオ信号は、システムによって通話CPUにも向けられる（図6には不図示）。
【００７０】
図7に示されているように、キー/ボタンは、市販の柔軟な入力システム上にカスタム配置することができ、該入力システムは、快適な手の位置のために修正されて、人間工学的に設計された会議用制御装置パッドを形成している。この入力システムは、一方又は両方の手の指の下に配置される一連のスイッチ又はスイッチ制御部を含み得、いくつかの選択されたスイッチを押すと、これらのスイッチに関連したビデオ及び/又は音声が、個々に又は会議として放映される。この入力システムは、切り替えユニットの人間工学的設計により、出演タレントが放映されている間に手がユニットに配置されたときにエラーを防止できるように各指の間にピン100を有し得る。他の実施態様では、図6に示されているように、ブリッジ200及び/又はアクティブキー間の隆起（raised bumps）をピンの代わりに使用して、人差し指と中指の正確な位置を保障する触知可能な警告を実現することができる。
【００７１】
フットペダル及び/又は親指の圧力（図9に図示）による二次ハードウェア又はソフトウェアのラッチ及び解除を使用して、意図するビデオ及び/又は音声スイッチが間違いなく追加されるようにし、かつ全ての不所望のビデオ及び/又は音声の承認を可能にすることができる。図7〜図9にさらに示されているように、部分球形（図8の300）及び成型された掌の陰刻鋳造（図9の400）を別々に又は組み合わせて使用して、手の適切な配置を支援して確実にすることができる。
【００７２】
一部の実施態様では、会議用制御装置パッドは、個々の外部からの発信者、例えば、発信者A、発信者B、発信者C、発信者D、発信者E、発信者Fなどの選択を行うことができる。
【００７３】
この選択は、任意の受信発信者を含み得、選択される発信者の人数は、1人、2人、3人、又は出演タレントの望む任意の人数とすることができる。一部の実施態様では、会議用制御装置パッド及び関連するソフトウェアは、出演タレントが同時に2人以上の発信者を出演させるように変更することができる。一部の実施態様では、会議用制御装置パッド及び関連するソフトウェアは、出演タレントが多数の発信者を同時に主演させると共に、選択された残りの発信者を待機させることができるようにする。図8〜図10に示されているように、放映画像は、出演タレントに加えて、多数の通話に亘って居続け得る主要発信者又はメイン発信者を示し、さらに、現在の発信者の第3の画像を示すか、あるいはメイン発信者と現在の発信者のみを示す。これにより、例えば、政府の役人又は著者を発信してきたメインゲストとして容易に招き入れることができ、該メインゲストと共に他の発信者を出演させることができる。
【００７４】
会議用制御装置パッドは、配置を容易にする多数の一次ボタンを掌型の下に有する。図7〜図9に示されているように、同じ名称の通話CPUからの音声及びビデオを制御するために、8つのボタンにA〜D及びW〜Zを付すことができる。発信者は、適切なビデオ/音声入力及び送信機能を有する任意の装置、例えば、コンピュータ、タブレット、スマートフォン、又は他のモバイル装置から接続することができる。ボタンは、同じ色、例えば、緑色にすることができる。加えて、同じ要領で付された異なる色、例えば、黄色の8つの他のボタンも存在し得る。1つの一次ボタンが押されて放されると、その通話コンピュータに関連した発信者が映し出される。同時に2人の発信者を出演させるためには、二次発信者（黄色の）ボタンを押し下げて保持し、一次発信者ボタン（緑色の）ボタンを押し下げて保持し、両方のボタンが解放されると、この組み合わせキー選択により、適切なソフトウェアが起動して、音声リレーを開き、その組み合わせ用に予め設定されたビデオ切り替えプロセスを開始する。一部の実施態様では、最初の発信者シーケンスがいったん開始されると、出演タレントは、第2のキーを使用することができ、第2のキーは、別の発信者のキーと組み合わせて押さえられる場合には、発信者を放映シーケンスに加えるか、又は逆に、発信者をシーケンスから取り去る。これが発生すると、シーケンスは、新しい発信者の数に適切なシーケンスに変化（デフォルト設定）する。
【００７５】
一部の実施態様では、トリガは、実際はキー/ボタンの解放時に発生する。これにより、出演タレントが、生のショーの最中に、自身の指を適切なキーの上に載せて次の発信者の出番の準備をし、そして次の事象を引き起こすのに適切な時機を待つことが可能となる。少なくとも1つの追加のボタン/キーが存在し得る。このボタン/キーは、発信者の音声及びビデオを停止し、ビデオ信号をホストに即座に戻すことができる。このボタン/キーを使用して、通話を終了させることができる。
【００７６】
TVビデオ通話システムは、多数の通話CPU又は仮想同等物に接続された多数の発信者を必要とする。結果として、このシステムは、通話CPUによってそれらの発信者装置から多数の別個の音声及びビデオ信号を受け取る。幅広いプロセスが、処理、通話の選択、及び切り替え/ミキシングのために音声をビデオから分離するので、多数のほぼ同一の発信者CPU又は仮想マシン同等物によるこの多数のほぼ同一の受信信号の使用は、システムの設定、試験、及び動作の管理段階の最中の全ての個々の受信音声信号の識別を困難にする。従来、標準的な1000 Hzのトーンを使用して、テレビジョン信号の音声部分を識別して調整している。しかしながら、この場合、多数の同様の信号が全て、同じ1000 Hzのトーンを有し得るため、信号の識別の混乱および遅延が起こる。従って、トーンの同一性が2つの実際に異なる音声信号の識別を困難にするため、2つ以上の入ってくる信号から構成される複合エンド音声/ビデオ生成物（composite end audio/video product）を生成し試験するのが特に困難であり得る。
【００７７】
解決策は、各通話CPUの識別のために異なる周波数のトーンを用意することであり、従って、信号が組み合わせられるときに容易に識別可能なコード、又は1つの信号が識別されるときに区別されるトーンの生成が可能となる。このような異なるトーンは、通話CPU内でリアルタイムで生成する、通話CPU内に保存された以前に記録されたファイルからの再生によって生成する、通話CPUによって受信される通話に由来する（通話を送信する）試験コンピュータで生成される信号によって生成する、又は受信通話を生成する試験もしくは消費者コンピュータ内のダウンロードアプリケーションの再生によって生成することができる。
【００７８】
加えて、特定の性質のトーンを使用して、通話CPUの特定の群又はバンクを識別することができる。一部の実施態様では、4つのコンピュータの各群を、1人の通話生成者/審査者の制御下でまとめて一団にすることができる。4つの通話コンピュータの1つの群の全てのトーンは、ピアノの「白い鍵盤」、例えば、A、C、E、Gに通常は関連した周波数であり、通話コンピュータの二次「バンク」は、「黒い鍵盤」の周波数、A＃、C＃、F＃、G＃によって識別される。この結果、試験がバンクを分離したままにする必要があるときにバンクが組み合わせられてしまうと、即座に不協和音が生じる。
【００７９】
図10に示されているように、TVビデオ通話システムは、放映準備ができた画像、画像セットアップ及び入ってくる通話準備を表示するための多数の画面を有し得る。
【００８０】
図11は、出演タレントのための制御及び表示セットアップを示す。右側に、ホスト自動化ツール（HAT）は、人間工学的に設計された会議用制御装置に隣接して位置している。図12は、ステータス画面、コンテンツ制御パッド、及び人間工学的に設計された会議用制御装置（上から下）を示す。
【００８１】
一部の実施態様では、発信者取得ツール（CAT）は、発信者データを記録し、検索し、それを通話審査者、制作スタッフに提示する処理を合理化するように設計される。CATは、発信者についての重要な情報を解析し、該情報をビデオストリームにオーバーレイすることもでき、これは、ホストのワークステーション及びアウトバウンドビデオの両方に運ばれる。加えて、CATは、種々の一般的なトラブルシューティング並びに開発及び試験の最後の年に開発された初期化ステップをシングルクリックで管理することができる。CATと題されたソフトウェアがこれらの機能の大部分を行うが、実際のCATソリューションは、ハードウェアとソフトウェアの組み合わせである。
【００８２】
一部の実施態様では、特注のウィンドウズ7プロフェッショナルデスクトップビデオ通話CPUコンピュータ（CATコンピュータとも呼ばれる）は、ワークグループシェアリングを介して、アクセスデータベース接続性ソフトウェアを作動し、且つ、発信者データベース、CATソフトウェア、AutoHotKey自動化スクリプト、バッチファイル、及びCATユニットを再イメージあるいは再構成する必要がある事象における種々のインストールユーティリティをホストしているアドバンテックウィンドウズ7コンピュータ（サーバ）に接続される。
【００８３】
CATコンピュータ及びサーバは、特定のIPアドレス範囲でネットワークにすることができ、それらとスタジオ内の他のネットワーク化装置の間に分離レイヤを追加する。加えて、CATコンピュータ及びサーバは、同じワークグループで構成される。
【００８４】
CATコンピュータの最初のスタートアップ時に、バッチファイルが作動して、サーバへの接続性を確かにして、サーバ上にある2つのネットワークドライブをマップする。最初のドライブには、その種々のサブフォルダ内にCAT機能性に関する全てのソフトウェアが含まれる。他方のドライブは、「Air Pics」フォルダと呼ばれる。このフォルダは、ショーの最中に使用されるグラフィックをプレロードするためにプロデューサが利用することができる。
【００８５】
一部の実施態様では、サーバ又はマップしたドライブへCATコンピュータがアクセス不可能であり、且つ問題がその特定のユニットの外であると決定される事象では、管理者が、サーバに直接アクセスしてログインし、バッチファイルソリューションを作動して、サーバ上のワークグループシェアリングをリセットすることができる。
【００８６】
CATソフトウェアが開くと、2つの位置決めスクリプトを作動させて、主要なCAT画面、文字オーバーレイ、ボイスオーバーアイピー（VoIP）アプリケーション（例えば、Skype（登録商標））及びそのビデオプレビューが第三者音声監視番組に加えて適切に配置されることを確実にする。
【００８７】
初期化が完了した後、ユーザは、（文字オーバーレイが使用するフォント名、色、及びサイズのいくつかの形式構成に加えて、ショーのトピック、ホスト名、及び日付などのプロデューサレベルで設定されたショーのメタデータを検索する）ドロップダウンリストからショーの形式を選択し、その名前を入力して、このデータを継続するようにロックしなければならない。これが済んだ後にのみ、発信者情報パネルが利用可能になり、通話を記録することができる。監視局の交代があったり、又は異なるショー形式が入ってくる場合には、ユーザは、このデータのロックを外し、選択されたショーを更新し、再びロックすることができる。ショーのメタデータ及び審査者の名前は、発信者データと一緒に自動的に記録される。
【００８８】
一部の実施態様では、CATソフトウェアは、選択されたショーのメタデータに基づいて、予定された発信者リストを抽出することができ、他のショー又は形式に対して確立されている発信者はリストに載せない。
【００８９】
通話を記録する処理は、4つのステップに分割することができ、大部分は順次行われる：
*READY−全ての入力されたデータを消去する。READYは、文字オーバーレイをホーム位置（左上）に復旧することができる。READY状態にある場合、発信者情報パネルは緑色である。READYがいったん選択されると、予定される発信者をドロップダウンリストから選択するか又はSkype（登録商標）アカウント名又は電子メールアドレスを介して検索することができる。これらの選択肢のいずれも、議論している話題を除いて発信者について予め記録されているどんな情報も埋めるため、処理を著しくスピードアップさせる。これらの選択肢は、相互排他的である：予定されたリストから発信者を選択すると、アカウントデータを介する検索が妨げられ、その逆もまた然りである。これは、主として、データベース接続性ハングアップを回避するためである。
*SET−全ての必要なデータ欄が埋められていることを確認し、もし埋められていないものがあれば、特定のエラーを提示する。全ての必要な条件が満たされると、発信者データは、ショーのメタデータ及び現在の時刻と共にデータベースに記録される。文字オーバーレイは、（チェックボックスを介して略記することができる）発信者の名前及び（いずれかの欄の隣のラジオボタンを介して選択された）位置又は話題で更新される。この時点で、ホストの端末は、全てのスクリーニング及び準備態勢の要件がまだ確認されていない場合があるので、使用するCATコンピュータに属するライン上で「発信者無し」をまだ示している。この状態で、発信者情報パネルは黄色に変わる。
*EDIT−文字オーバーレイを一時的に隠し、ユーザは発信者データに変更を行い、データベースへの入力を更新し、文字オーバーレイを復旧することができる。発信者情報パネルは、この状態でオレンジ色に変わる。
*GO/STOP−多数の機能：
−GO：現在の発信者のデータベース入力を更新し、放映準備ができたものとしてフラグを立てる。加えて、通話の経過時間を計算するストップウォッチを開始し、データベースを5分ごとに更新する。放映準備ができたものとして設定されると、発信者は、ホストの端末上にリスト化され、彼らの名前、位置、及び話題が表示される。通話の経過時間（又はプロデューサレベルで設定された2つの重要度フラグ）に基づいて、特定の色分け選択肢がホスト端末レベルで設定されるため、ショータレントは、誰が最優先であるのか、及び、誰がトークするのに最も長く待機しているのかが分かる。通話審査者は、この時点でもまだ編集することができる。発信者情報パネルは、この時点で赤色である。一実施態様では、GOコマンドは、音声制御/ホスト自動化制御コンピュータに通信され、音声制御/ホスト自動化制御コンピュータは、そのような情報を使用して、通話を放映上に切り替えさせる前に、その通話が放映用に承認されているかどうか判断する。
−STOP：発信者が済んだことを示す。この段階で、現在の時刻が、通話終了入力としてデータベースに記録され、放映準備できたフラグは除去される。任意の発信者注記欄が利用可能であり；これらの注記は、発信者のSkype（登録商標）アカウント又は電子メールアドレスについて次回検索されると、通話審査者に提示され、態度が悪い発信者を放映に戻らせないことを確実にする。注記が入力又はスキップされると、発信者情報パネルはそのデフォルト色に戻る。
【００９０】
一部の実施態様では、ホストの端末と同じ情報を全て表示するアクティブ発信者リストがあってもよい。特に、プロデューサが発信者を次の発信者として設定すると、彼らの名前は青色で強調表示されるであろう。注意深い審査者は、特定の発信者について用心するように通知することができるであろう。
【００９１】
6つの文字オーバーレイ位置決めボタン（左上が「HOME」と印が付けられている）のいずれかをクリックすることで、発信者の名前及び位置又は話題は、種々の位置においてSkype（登録商標）画像にわたって表示することができる。
*文字オーバーレイの垂直位置は、OVERLAYT.EXE（上）又はOVERLAYB.EXE（下）のいずれかを通話することで調整される。「TEXT TO HOME」と印が付けられたボタンを押すことで、オーバーレイを左上位置に復旧する。
*その後、文字オーバーレイ上のグラフィック文字を左詰め、中央、又は右詰めに修正することによって水平方向を変更させる。
*文字は隠すこともでき（発信者のデータを編集する際にデフォルトで行われる）、これは、発信者用の代わりにメディア用にCATコンピュータを使用している場合に有用である。
*文字オーバーレイ位置決めの微調整は、「UNLOCK TEXT」ボタンを押すことによって達成することができ、これにより、ウィンドウの境界あたりに4つの白いドットが表示され、ユーザはウィンドウを好きなところにどこでもドラッグすることができる。「LOCK TEXT」を押すと、これらのドットが隠され、ユーザが文字を誤って移動させることを防ぐ。
トラブルシューティングをスピードアップするように設計された機能、開発の最後の年にわたって直面した一般的な問題への応急措置、又は必要に応じたユニット隔離。
*Reset Video Converting Application：ビデオ変換ソフトウェアを終了し、それをそのデフォルト画面サイズ及び位置に復旧する。
*Skype（登録商標）（又はIPサービスにわたる別のビデオ/音声）をリセット：可能であれば、Skype（登録商標）を適切にシャットダウンし、Skype（登録商標）上でタスクキルコマンドを実行する。可能でなければ、適切な位置決めスクリプトを呼び出す前にプログラムを復旧する。
*Reset Audio Meter：音声レベルメータプログラムを終了し、それを適切な位置決めスクリプトを呼び出す前に復旧する。
*Turn Skype（登録商標） Off/On：ウィンドウズファイアウォール入力がSkype（登録商標）に属する場合に、ウィンドウズファイアウォール入力を修正するバッチファイルを実行し、選択に応じて接続するプログラムの機能を無効又は有効にする。これは通常、ショー前の試験段階中にユニットを隔離するために使用される。
*Turn Internet Off/On：ウィンドウズファイアウォール入力がTeam Viewer遠隔アクセスソフトウェアは別にして全てのインターネット接続性に属する場合に、選択に応じてウィンドウズファイアウォール入力を修正するバッチファイルを実行する。加えて、これは、Skype（登録商標）に対して、追加された隔離レベルと同じことをする。これは、通常、CATコンピュータが解決不可能な問題を有している事象で使用され、発信者が欠陥審査者ユニット上でピックアップされるイライラを少なくさせる。
*Turn Audio ID Off/On：選択に応じて、特定のCATコンピュータIDが付いたWAVファイルを再生又は停止する。このボタンは、音声ファイルが作動している際には赤色及びピンク色に点滅し、音声ファイルを聞くことができない場合に、それが起きていることをユーザに知らせる。
【００９２】
一部の実施態様では、プロデューサのワークステーション上には、以下のプログラムが存在する：
*全てのアクティブ発信者をリスト表示し、通話経過時間よりも優先される優先度フラグをユーザに設定又は消去して、どの発信者がシーケンス又は重要であるかをホストに視覚的に示す。
*プロデューサにホスト位置での小さな画面に短い文字メッセージを送らせて、重要な動作を知らせる。
*ショーのメタデータを話題又は形式用に構成し、CATコンピュータ文字オーバーレイのためにフォント名、サイズ、及び色を全体的に確立する。
*予定される発信者に属するデータを特定のショー又は形式用に入力する。
*全ての放映準備ができたフラグを消去して、ホストに白紙の状態を与える。これは、CATコンピュータのいずれにおける通話も停止させない点に留意されたい。
出演タレントの端末で、プロデューサ（複数可）との通信を支援するために1つ以上の画面があってもよい。一実施態様では、2画面を使用して、発信者の詳細な情報及び重要なメッセージをホストに提供することができる。そのような画面は、サーバに直接接続してもよいし、又はLAN経由で1つ以上の別個のCPUを介してサーバに接続してもよい。
*大きな画面上では、ホストビューアを表示すべきであり、これは全ての利用可能な発信者、彼らの位置及び話題のグリッドベースのリストであり、通話経過時間によって設定された色分けスキーム又はプロデューサ−レベルの優先度フラグに従って提示される。
*小さな画面上では、緊急メッセンジャーを表示すべきであり、これは上述したプロデューサからの70字の文字メッセージを示す。
【００９３】
図13〜22は、CAT画面及び制御セットアップの一実施態様を示す。
【００９４】
図13では、プロデューサは、発信者ごとに2画面で作業を行う。上画面は、発信者情報と共に文字オーバーレイを配置し、必要時にはビデオセットアップ用に文字オーバーレイを配置するためのものである。下画面は、メタデータを準備し、発信者に戻す音声及びビデオを監視するためのものである。一部の実施態様では、ホスト及びビデオスイッチャーに行くクロップビデオ画像をチェックするための第3の画面があってもよい。
【００９５】
図14では、通話審査者が使用して、通話を取得し、放映用に準備するいくつかの異なるソフトウェアプログラムが存在する。いくつかのプログラムはアクティブであり、通話ごとに調整する必要があり、他のプログラムはバックグラウンドで作動しているが、調整される必要がある場合がある。
【００９６】
発信者取得ツールは、発信者データを入力し、文字オーバーレイを設定し、及び他の発信者に対して種々の制御があるユーザ環境を提供するオーバーレイである。
【００９７】
VoIPアプリケーション（例えば、Skype（登録商標））は、IPビデオ用に使用される。3つのSkype（登録商標）ウィンドウ：通話を行い、前の発信者を追跡することができる通話制御、発信者に戻しているビデオを見ることができる戻しビデオウィンドウ、及び上画面に設けられる実際の発信者ウィンドウ（ここでは不図示）がある。
【００９８】
音声メータは、発信者の音声（下）と戻し音声（上）をグラフで示す。ビデオ変換器ソフトウェアはバックグラウンドで作動しており、例えば、スマートフォン画像が垂直であるが、通常の水平のテレビジョン形式内で放映する場合に、画像準備画面上のグラフィックボックスを調整して、発信者ビデオ画像をトリミングさせる。
【００９９】
発信者取得ツール（CAT）は、ショー及び通話審査者のために設定することができる。ショーを設定するため、左上のUPDATEをクリックした後、ドロップダウンバーからショーを選択する（図15）。プロデューサの情報を入力することができる（図16）。その後、第1の発信者を設定する準備が整う。これをするため、中央左のREADYボックスをクリックする。これは、プロデューサが発信者データに侵入していることをシステムに知らせる（図17）。発信者情報を入力するには2つの方法があり得る。まず、発信者情報は、プロデューサによって予め入力しておくことができ、予め入力された全ての発信者のドロップダウンリストから発信者の名前を選択することによってアクセスすることができる。または、各発信者の名前は、予め入力されたリスト上にない発信者ごとに個別に入力することができる。次のステップに移動するには、システムに対する発信者名前、位置、及び話題を入力する必要がある。Skype（登録商標）（又は他の）IPアドレス及び電子メールを得ることは、さらなる連絡に役立つであろう。一部の実施態様では、18歳未満の子供は親の許可なしで電話をかけることができない方針を含み得る。この場合、プロデューサは、カメラ上の親が許可を与えていることを必ず見て、子供が許可を得た場合にボックスにチェックを入れなければならない（図18）。データが入力されると、プロデューサは、SETボタンをクリックすることができ、文字が上画面の発信者画像にわたって表示される（図19）。位置を変化させる必要がある場合には、何通りかの方法で文字を調整することができる。文字近くの小さな白いドット上にマウスを置き、画面のまわりに文字をスライドさせることによって、文字を自由に移動することができる。文字がロック解除されると、小さなドットが見えて、移動することができる。文字がロックされた場合、文字は移動せず、小さなドットは見ることができない（図20）。一部の実施態様では、位置ボタンをクリックすることによって6つの予め設定された位置の1つに文字を配置することもできる。位置は、左上（HOME）、中央上、右上、右下、中央下、及び左下である。文字が小さなドットを用いて手でどのように移動されていても、HOMEボタンは、文字を常に左上に戻す（図21）。全ての準備が整うと、プロデューサがGOキーを押し、入力されているデータがデータベースに送られ、放映中のタレントの情報画面上と、全ての通話コンピュータCAT画面の右下で見られる。GoボタンがSTOPに変わり、発信者情報領域も赤色になるため、通話が放映用に承認されていることが簡単に分かる（図22）。通話が完了すると、STOPを押し、任意の通話後の注記を入力した後、再開するためにReadyを押す。CATオーバーレイの背後の番組が適所を外れている恐れがある場合、プロデューサは、「最小」ボタンを押すことによってCATを単に最小にし、表示をスライドして属する場所に戻した後、画面の底部のコントロールバーでクリックすることによってCATオーバーレイを復旧する。
【０１００】
CATモジュールは、他のボタンを含み得る：
Hide Text、これは、文字オーバーレイで注意をそらされたくないものが発信者画面上にある場合に、プロデューサが使用する；
Turn Skype（登録商標）Off、これは、他の全てのマシン上でSkype（登録商標）をオフにすることによって、別個のマシンを隔離するようにセットアップの最中に使用される；
Turn Internet Off、Skype（登録商標）が、ウェブを使用しているために、これはSkype（登録商標）もオフにし、試験用にマシンを完全に隔離するために使用される；
Turn Audio ID On/Off、これは、このコンピュータにだけ音声IDを再生し、セットアップ及び試験に使用される。作動している際に赤色に点滅する。
Restart Audio Meter、これはメータを再スタートする。
Restart Skype（登録商標）、これは、Skype（登録商標）をシャットダウンし、ログインも含めて完全に再スタートさせる。
【０１０１】
プロデューサは、万が一自動ログインが上手くいかず、IPビデオサービスに手動でログインしなければならない場合には、CATの左上でこのコンピュータのSkype（登録商標）名及びパスワードを見ることができる。
【０１０２】
Reset Video Converter、これは、ビデオ変換器ソフトウェアを再スタートさせ、上画面の黄色ボックスをその出発位置に戻す。プロデューサは、前の発信者を切り取るために黄色ボックスが変わっている場合に使用することができる。
【０１０３】
本発明の特定の実施態様を本明細書で詳細に例示し説明してきたが、本発明の範囲及び意図から逸脱することなく本発明に対し様々な変更及び改良が可能であることを理解されたい。本明細書で説明される実施態様は、全ての面で限定目的ではなく例示目的であるものとする。本発明の属する分野の技術者であれば、本発明の範囲から逸脱しない代替の実施態様が明らかになるであろう。例えば、Skype（登録商標）は、インターネットプロトコルビデオサービスの一例として使用されるが、他のブランドの及びノーブランドのIPビデオサービス及びアプリケーションを代用してもよい。
【０１０４】
上記から、本発明が、明らかであり本システム及び方法に固有である上述の全ての目標及び目的を他の利点と共に達成するのに十分に適した発明であることが分かる。特定の特徴及びサブコンビネーションが有用であり、他の特徴及びサブコンビネーションを考慮せずに利用できることを理解されたい。これは、企図されたものであり、添付の特許請求の範囲内である。本発明の多数の実施態様を説明してきたが、本発明の概念及び範囲から逸脱することなく様々な改良が可能であることを理解されたい。例えば、一実施態様が、通話CPUを各発信者専用とすることができることを示しているが、１つの通話CPUが、2人以上の発信者の通信及びビデオ/音声送信を処理することができ、各発信者は、別個のインターネットビデオ接続を介している。
【０１０５】
他の実施態様は、以下の特許請求の範囲内である。
本件出願は、以下の構成の発明を提供する。
（構成１）
ビデオ通話参加型テレビジョンシステムであって：
インターネットを介した異なる発信者からの複数のビデオ通話を接続するための複数のビデオ通話中央処理ユニットであって、各ビデオ通話中央処理ユニットがビデオ通話専用である該ビデオ通話中央処理ユニット；
放映される少なくとも１つのビデオ通話を選択するために出演タレント及びプロデューサによって使用される少なくとも１つのタッチ画面表示上にグラフィックユーザインタフェースを含む発信者取得モジュール；及び
ビデオ配給業者に生で送信するためにビデオ通話信号を準備し、送信するための出力ユニット；を含む、前記ビデオ通話参加型テレビジョンシステム。
（構成２）
前記発信者取得モジュールが、各ビデオ通話中央処理ユニット上で動作する、構成1記載のビデオ通話参加型テレビジョンシステム。
（構成３）
前記発信者取得モジュールが、各異なる発信者を表すための音声識別トーンを生成し、該音声識別をオンにする又はオフにする選択肢を有する、構成1記載のビデオ通話参加型テレビジョンシステム。
（構成４）
前記発信者取得モジュールが、ビデオ電話通話を行うためにインターネットを使用するボイスオーバーアイピー（VoIP）アプリケーションへの通信路を生成し、該通信路をオンにする又はオフにする選択肢を有する、構成1記載のビデオ通話参加型テレビジョンシステム。
（構成５）
前記ビデオ通話中央処理ユニットからのビデオをテレビジョンビデオに変換するための2つ以上のビデオ変換器をさらに含む、構成1記載のビデオ通話参加型テレビジョンシステム。
（構成６）
各ビデオ通話中央処理ユニットが、発信者用の文字識別又はビデオ通話文字オーバーレイを生成し、このような文字識別を該ビデオ通話上に配置してから前記ビデオ通話を、現在は該ビデオ通話に統合されている文字と共に生のテレビジョンで使用可能なビデオ信号に変換する、構成1記載のビデオ通話参加型テレビジョンシステム。
（構成７）
前記プロデューサが、前記発信者取得モジュールを使用して、前記文字オーバーレイを定位置又は任意の予め設定された位置に設定し、該文字を前記画面のまわりに動かし、該文字を特定の位置に固定し、該文字を隠す、構成6記載のビデオ通話参加型テレビジョンシステム。
（構成８）
前記プロデューサが、前記発信者取得モジュールを使用して、前記発信者の名前、発信者の都市、発信者の話題、及び前記発信者の他の情報を前記文字オーバーレイに入力する、構成6記載のビデオ通話参加型テレビジョンシステム。
（構成９）
前記プロデューサが、前記発信者取得モジュールを使用して、発信者の情報を前記出演タレントの情報画面に送り、「Go」ボタンを押すことによって前記発信者が出演を「承認された」ことを示す、構成1記載のビデオ通話参加型テレビジョンシステム。
（構成１０）
多数のビデオ通話中央処理ユニットからの全ての承認された発信者が、前記発信者取得モジュールによって発信者画面上に列挙される、構成9記載のビデオ通話参加型テレビジョンシステム。
（構成１１）
多数のビデオ通話中央処理ユニットからの承認された発信者によって、承認された後に費やされた時間の量が、色分け及び/又は色合いを用いて前記発信者画面上に示される、構成10記載のビデオ通話参加型テレビジョンシステム。
（構成１２）
各発信者には優先度レベルが割り当てられ、発信者の優先度が、前記プロデューサによって決定されたように、色分け及び/又は色合いを用いて前記発信者画面上に示される、構成10記載のビデオ通話参加型テレビジョンシステム。
（構成１３）
望ましい場合に、前記出演タレントが多数の発信者のビデオ及び音声を追加することを可能にする人間工学的に設計された会議用制御装置をさらに含む、構成1記載のビデオ通話参加型テレビジョンシステム。
（構成１４）
前記人間工学的に設計された会議用制御装置が、前記出演タレントの掌を忠実に描写している成型された掌を含み、前記出演タレントが選択を行い且つテレビジョンカメラを見ていながらエラーを最小限にするために、前記出演タレントの手及び指を適切に配置するのを支援するように配置されている、構成13記載のビデオ通話参加型テレビジョンシステム。
（構成１５）
前記人間工学的に設計された会議用制御装置が、前記出演タレントがビデオ選択を一連の所定のビデオ組み合わせにおける次のものにジャンプすることを可能にする、構成13記載のビデオ通話参加型テレビジョンシステム。
（構成１６）
前記人間工学的に設計された会議用制御装置が、前記出演タレントが前記ビデオ選択を前記出演タレントと一連の所定のビデオ組み合わせにおける少なくとも1人の発信者との次の組み合わせにジャンプすることを可能にする、構成13記載のビデオ通話参加型テレビジョンシステム。
（構成１７）
前記人間工学的に設計された会議用制御装置が、前記出演タレントが自身を前記ビデオ組み合わせの所定のシーケンスから取り除き、該シーケンスにおいて発信者のみを残すことを可能にする、構成13記載のビデオ通話参加型テレビジョンシステム。
（構成１８）
前記人間工学的に設計された会議用制御装置が、前記出演タレントが1人の発信者を前記画面及び前記所定のシーケンスにおける後続のビデオ組み合わせ上の優位な（メインゲスト）位置に、位置させることを可能にする、構成13記載のビデオ通話参加型テレビジョンシステム。
（構成１９）
前記発信者取得モジュールが、多数のトーンを介して前記出演タレントへの音声通信を生成し、前記人間工学的に設計された会議用制御装置を通じて届けられたコマンドのステータスを示す、構成13記載のビデオ通話参加型テレビジョンシステム。
（構成２０）
前記人間工学的に設計された会議用制御装置が、前記出演タレントがオープニング、エンディング及びコマーシャルによる中断などの複数の基本番組要素を放映することを可能にする、構成13記載のビデオ通話参加型テレビジョンシステム。
（構成２１）
前記人間工学的に設計された会議用制御装置が、前記出演タレントがビデオ録画又はビデオスチルを放映することを可能にする、構成13記載のビデオ通話参加型テレビジョンシステム。
（構成２２）
前記人間工学的に設計された会議用制御装置が、前記出演タレントがビデオ組み合わせの所定のシーケンスを一時停止することを可能にする、構成13記載のビデオ通話参加型テレビジョンシステム。
（構成２３）
前記人間工学的に設計された会議用制御装置が、前記出演タレントが発信番組を録画することを可能にする、構成13記載のビデオ通話参加型テレビジョンシステム。
（構成２４）
所定のシーケンスに従って次の予定されるビデオ画像用の各テレビジョンカメラに隣接する「警告タリー」光をさらに含む、構成1記載のビデオ通話参加型テレビジョンシステム。
（構成２５）
所定のシーケンスに従って、前記出演タレントが次のカメラ出演のためにどこを見るかを矢印で示す、現在のビデオ画像用の各テレビジョンカメラに隣接する「警告タリー」光をさらに含む、構成1記載のビデオ通話参加型テレビジョンシステム。
（構成２６）
前記「警告タリー」光が、前記人間工学的に設計された会議用制御装置を介する前記出演タレントによる前記所定のシーケンスに対する変更に従って、動的に調整される、構成25記載のビデオ通話参加型テレビジョンシステム。
（構成２７）
前記ビデオ通話中央処理ユニットが、前記VoIPアプリケーションの自動的な音声ゲイン制御をアクティブに保つ目的のために発信者への戻し音声フィードの一部として、ほとんどの人間の聴覚範囲外の変動周波数の音声トーン（スイープトーン）を生成する、構成4記載のビデオ通話参加型テレビジョンシステム。
（構成２８）
前記ビデオ通話中央処理ユニットから利用可能な多数の発信者からの発信者のビデオ及び音声の選択において、前記出演タレントを支援するホスト自動化モジュールをさらに含む、構成1記載のビデオ通話参加型テレビジョンシステム。
（構成２９）
前記発信者が、前記プロデューサによって出演を予め承認されている、構成28記載のビデオ通話参加型テレビジョンシステム。
（構成３０）
前記ホスト自動化モジュールが、前記多数のビデオ通話中央処理ユニットから利用可能なビデオ選択肢及び出演タレントのカメラ選択肢の組み合わせに基づいて、次のビデオショット又はショットの組み合わせを自動的に決定し、信号を前記出演タレントに送って、放映される次のビデオソース又はビデオソースの組み合わせを示し、その後該ビデオソース又は組み合わせがビデオスイッチャーによって放映される、構成28記載のビデオ通話参加型テレビジョンシステム。
（構成３１）
前記ホスト自動化モジュールによって前記出演タレントに送られた前記信号が、光信号、文字メッセージ、又は画面上のアイコンメッセージを含む、構成30記載のビデオ通話参加型テレビジョンシステム。
（構成３２）
前記ホスト自動化モジュールが、前記プロデューサによって準備された、ショットシーケンス及びシンプルテキストランゲージで記述されたタイミングを含むショットランダウンルーチンに基づく、前記多数のビデオ通話中央処理ユニットから利用可能なビデオ選択肢の組み合わせに基づいて、次のビデオショット又はショットの組み合わせを自動的に決定する、構成28記載のビデオ通話参加型テレビジョンシステム。
（構成３３）
前記ホスト自動化モジュールが、リアルタイムで前記出演タレントによって選択された変更に基づいて、現在のシーケンスを動的にオーバーライドし、前記多数のビデオ通話中央処理ユニットからその時点でそれが利用可能な前記ビデオ選択肢に基づいて前記次のビデオショット又はショットの組み合わせを決定する、構成28記載のビデオ通話参加型テレビジョンシステム。
（構成３４）
前記ホスト自動化モジュールが、ステータスコマンドの複数のトーンによって前記出演タレントに信号を送る、構成28記載のビデオ通話参加型テレビジョンシステム。
（構成３５）
前記ホスト自動化モジュールが、利用可能な選択肢及び動作を記録する、構成28記載のビデオ通話参加型テレビジョンシステム。
（構成３６）
前記ホスト自動化モジュールが、通信用及びモジュラリティ用の少なくとも1つのアプリケーションプログラミングインタフェースを含む、構成28記載のビデオ通話参加型テレビジョンシステム。
（構成３７）
前記出演タレントが、前記ビデオ通話中央処理ユニットとは別の場所にいる、構成1記載のビデオ通話参加型テレビジョンシステム。
（構成３８）
前記出演タレントが、前記ホスト自動化モジュールとは別の場所にいる、構成28記載のビデオ通話参加型テレビジョンシステム。
（構成３９）
前記プロデューサが、前記ビデオ通話中央処理ユニットとは別の場所にいる、構成1記載のビデオ通話参加型テレビジョンシステム。
（構成４０）
前記プロデューサが、前記ホスト自動化モジュールとは別の場所にいる、構成28記載のビデオ通話参加型テレビジョンシステム。
（構成４１）
異なる周波数の複数の別個の音声トーンを使用して、前記ビデオ通話中央処理ユニットを識別する、構成1記載のビデオ通話参加型テレビジョンシステム。
（構成４２）
発信者が、戻しビデオをリアルタイムで見る、構成1記載のビデオ通話参加型テレビジョンシステム。
（構成４３）
前記戻しビデオが、前記発信者の情報と共に文字オーバーレイを含む、構成42記載のビデオ通話参加型テレビジョンシステム。
（構成４４）
ビデオ通話参加型テレビジョンシステムであって：
インターネットを介した異なる発信者からの複数のビデオ通話を接続するための複数のビデオ通話中央処理ユニットであって、各ビデオ通話中央処理ユニットがビデオ通話専用である該ビデオ通話中央処理ユニット；
前記出演タレントが放映される少なくとも1つのビデオ通話を選択し、望ましい場合に、多数の発信者のビデオ及び音声を加えることを可能にする人間工学的に設計された会議用制御装置を含む発信者取得モジュール；及び
ビデオ配給業者に生で送信するためにビデオ通話信号を準備し、送信するための出力ユニット；を含む、前記ビデオ通話参加型テレビジョンシステム。
（構成４５）
前記発信者取得モジュールが、各ビデオ通話中央処理ユニット上で動作する、構成44記載のビデオ通話参加型テレビジョンシステム。
（構成４６）
前記発信者取得モジュールが、各異なる発信者を表すための音声識別トーンを生成し、該音声識別をオンにする又はオフにする選択肢を有する、構成44記載のビデオ通話参加型テレビジョンシステム。
（構成４７）
前記発信者取得モジュールが、ビデオ電話通話を行うためにインターネットを使用するボイスオーバーアイピー（VoIP）アプリケーションへの通信路を生成し、該通信路をオンにする又はオフにする選択肢を有する、構成44記載のビデオ通話参加型テレビジョンシステム。
（構成４８）
前記ビデオ通話中央処理ユニットからのビデオをテレビジョンビデオに変換するための2つ以上のビデオ変換器をさらに含む、構成44記載のビデオ通話参加型テレビジョンシステム。
（構成４９）
各ビデオ通話中央処理ユニットが、発信者用の文字識別又はビデオ通話文字オーバーレイを生成し、このような文字識別を該ビデオ通話上に配置してから前記ビデオ通話を、現在は該ビデオ通話に統合されている文字と共に生のテレビジョンで使用可能なビデオ信号に変換する、構成44記載のビデオ通話参加型テレビジョンシステム。
（構成５０）
前記プロデューサが、前記発信者取得モジュールを使用して、前記文字オーバーレイを定位置又は任意の予め設定された位置に設定し、前記文字を前記画面のまわりに動かし、前記文字を特定の位置に固定し、前記文字を隠す、構成49記載のビデオ通話参加型テレビジョンシステム。
（構成５１）
前記プロデューサが、前記発信者取得モジュールを使用して、前記発信者の名前、発信者の都市、発信者の話題、及び前記発信者の他の情報を前記文字オーバーレイに入力する、構成49記載のビデオ通話参加型テレビジョンシステム。
（構成５２）
前記プロデューサが、前記発信者取得モジュールを使用して、発信者の情報を前記出演タレントの情報画面に送り、「Go」ボタンを押すことによって前記発信者が出演を「承認された」ことを示す、構成44記載のビデオ通話参加型テレビジョンシステム。
（構成５３）
多数のビデオ通話中央処理ユニットからの全ての承認された発信者が、前記発信者取得モジュールによって発信者画面上に列挙される、構成52記載のビデオ通話参加型テレビジョンシステム。
（構成５４）
多数のビデオ通話中央処理ユニットからの承認された発信者によって、承認された後に費やされた時間の量が、色分け及び/又は色合いを用いて前記発信者画面上に示される、構成53記載のビデオ通話参加型テレビジョンシステム。
（構成５５）
各発信者には優先度レベルが割り当てられ、発信者の優先度が、前記プロデューサによって決定されたように、色分け及び/又は色合いを用いて前記発信者画面上に示される、構成53記載のビデオ通話参加型テレビジョンシステム。
（構成５６）
放映される少なくとも１つのビデオ通話を選択するために出演タレント及びプロデューサによって使用される少なくとも１つのタッチ画面表示上にグラフィックユーザインタフェースをさらに含む、構成44記載のビデオ通話参加型テレビジョンシステム。
（構成５７）
前記人間工学的に設計された会議用制御装置が、前記出演タレントの掌を忠実に描写している成型された掌を含み、前記出演タレントが選択を行い且つテレビジョンカメラを見ていながらエラーを最小限にするために、前記出演タレントの手及び指を適切に配置するのを支援するように配置されている、構成44記載のビデオ通話参加型テレビジョンシステム。
（構成５８）
前記人間工学的に設計された会議用制御装置が、前記出演タレントがビデオ選択を一連の所定のビデオ組み合わせにおける次のものにジャンプすることを可能にする、構成44記載のビデオ通話参加型テレビジョンシステム。
（構成５９）
前記人間工学的に設計された会議用制御装置が、前記出演タレントが前記ビデオ選択を前記出演タレントと一連の所定のビデオ組み合わせにおける少なくとも1人の発信者との次の組み合わせにジャンプすることを可能にする、構成44記載のビデオ通話参加型テレビジョンシステム。
（構成６０）
前記人間工学的に設計された会議用制御装置が、前記出演タレントが自身を前記ビデオ組み合わせの所定のシーケンスから取り除き、該シーケンスにおいて発信者のみを残すことを可能にする、構成44記載のビデオ通話参加型テレビジョンシステム。
（構成６１）
前記人間工学的に設計された会議用制御装置が、前記出演タレントが1人の発信者を前記画面及び前記所定のシーケンスにおける後のビデオ組み合わせ上の優位な（メインゲスト）位置に、位置させることを可能にする、構成44記載のビデオ通話参加型テレビジョンシステム。
（構成６２）
前記発信者取得モジュールが、多数のトーンを介して前記出演タレントへの音声通信を生成し、前記人間工学的に設計された会議用制御装置を通じて届けられたコマンドのステータスを示す、構成44記載のビデオ通話参加型テレビジョンシステム。
（構成６３）
前記人間工学的に設計された会議用制御装置が、前記出演タレントがオープニング、エンディング及びコマーシャルによる中断などの複数の基本番組要素を放映することを可能にする、構成44記載のビデオ通話参加型テレビジョンシステム。
（構成６４）
前記人間工学的に設計された会議用制御装置が、前記出演タレントがビデオ録画又はビデオスチルを放映することを可能にする、構成44記載のビデオ通話参加型テレビジョンシステム。
（構成６５）
前記人間工学的に設計された会議用制御装置が、前記出演タレントがビデオ組み合わせの所定のシーケンスを一時停止することを可能にする、構成44記載のビデオ通話参加型テレビジョンシステム。
（構成６６）
前記人間工学的に設計された会議用制御装置が、前記出演タレントが発信番組を録画することを可能にする、構成44記載のビデオ通話参加型テレビジョンシステム。
（構成６７）
所定のシーケンスに従って次の予定されるビデオ画像用の各テレビジョンカメラに隣接する「警告タリー」光をさらに含む、構成44記載のビデオ通話参加型テレビジョンシステム。
（構成６８）
所定のシーケンスに従って、前記出演タレントが次の出演のためにどこを見るかを矢印で示す、現在のビデオ画像用の各テレビジョンカメラに隣接する「警告タリー」光をさらに含み、該「警告タリー」光が、前記人間工学的に設計された会議用制御装置を介する前記出演タレントによる前記所定のシーケンスに対する変更に従って、動的に調整される、構成44記載のビデオ通話参加型テレビジョンシステム。
（構成６９）
前記ビデオ通話中央処理ユニットが、前記VoIPアプリケーションの自動的な音声ゲイン制御をアクティブに保つ目的のために発信者への戻し音声フィードの一部として、ほとんどの人間の聴覚範囲外の変動周波数の音声トーン（スイープトーン）を生成する、構成47記載のビデオ通話参加型テレビジョンシステム。
（構成７０）
前記ビデオ通話中央処理ユニットから利用可能な多数の発信者からの発信者のビデオ及び音声の選択において前記出演タレントを支援するホスト自動化モジュールをさらに含む、構成44記載のビデオ通話参加型テレビジョンシステム。
（構成７１）
前記発信者が、前記プロデューサによって出演を予め承認されている、構成70記載のビデオ通話参加型テレビジョンシステム。
（構成７２）
前記ホスト自動化モジュールが、前記多数のビデオ通話中央処理ユニットから利用可能なビデオ選択肢及び出演タレントのカメラ選択肢の組み合わせに基づいて、次のビデオショット又はショットの組み合わせを自動的に決定し、信号を前記出演タレントに送って、放映される次のビデオソース又はビデオソースの組み合わせを示し、その後該ビデオソース又は組み合わせがビデオスイッチャーによって放映される、構成70記載のビデオ通話参加型テレビジョンシステム。
（構成７３）
前記ホスト自動化モジュールによって前記出演タレントに送られた前記信号が、光信号、文字メッセージ、又は画面上のアイコンメッセージを含む、構成72記載のビデオ通話参加型テレビジョンシステム。
（構成７４）
前記ホスト自動化モジュールが、前記プロデューサによって準備された、ショットシーケンス及びシンプルテキストランゲージで記述されたタイミングを含むショットランダウンルーチンに基づく、前記多数のビデオ通話中央処理ユニットから利用可能なビデオ選択肢の組み合わせに基づいて、次のビデオショット又はショットの組み合わせを自動的に決定する、構成70記載のビデオ通話参加型テレビジョンシステム。
（構成７５）
前記ホスト自動化モジュールが、リアルタイムで前記出演タレントによって選択された変更に基づいて、現在のシーケンスを動的にオーバーライドし、前記多数のビデオ通話中央処理ユニットからその時点でそれが利用可能な前記ビデオ選択肢に基づいて前記次のビデオショット又はショットの組み合わせを決定する、構成70記載のビデオ通話参加型テレビジョンシステム。
（構成７６）
前記ホスト自動化モジュールが、ステータスコマンドの複数のトーン及び/又は音声によって前記出演タレントに信号を送り、該ホスト自動化モジュールが、通信用及びモジュラリティ用の少なくとも1つのアプリケーションプログラミングインタフェースを含む、構成70記載のビデオ通話参加型テレビジョンシステム。
（構成７７）
前記出演タレントが、前記ビデオ通話中央処理ユニットとは別の場所にいる、構成44記載のビデオ通話参加型テレビジョンシステム。
（構成７８）
前記出演タレントが、前記ホスト自動化モジュールとは別の場所にいる、構成70記載のビデオ通話参加型テレビジョンシステム。
（構成７９）
前記プロデューサが、前記ビデオ通話中央処理ユニットとは別の場所にいる、構成44記載のビデオ通話参加型テレビジョンシステム。
（構成８０）
前記プロデューサが、前記ホスト自動化モジュールとは別の場所にいる、構成70記載のビデオ通話参加型テレビジョンシステム。
（構成８１）
異なる周波数の複数の別個の音声トーンを使用して、前記ビデオ通話中央処理ユニットを識別する、構成44記載のビデオ通話参加型テレビジョンシステム。
（構成８２）
発信者が、前記番組の戻しビデオをリアルタイムで見る、構成44記載のビデオ通話参加型テレビジョンシステム。
（構成８３）
前記戻しビデオが、前記発信者の情報と共に文字オーバーレイを含む、構成82記載のビデオ通話参加型テレビジョンシステム。
（構成８４）
ビデオ通話参加型テレビジョンシステムであって：
インターネットを介した異なる発信者からの複数のビデオ通話を接続するための複数のビデオ通話中央処理ユニットであって、各ビデオ通話中央処理ユニットがビデオ通話専用である該ビデオ通話中央処理ユニット；
該ビデオ通話中央処理ユニットから利用可能な多数の発信者からの発信者のビデオ及び音声の選択において該出演タレントを支援するホスト自動化モジュール；
人間工学的に設計された会議用制御装置と、前記出演タレントが放映される少なくとも１つのビデオ通話を選択し、望ましい場合に多数の発信者のビデオ及び音声を追加することを可能にする出演タレント及びプロデューサによって使用される少なくとも１つのタッチ画面表示上のグラフィックユーザインタフェースとを含む発信者取得モジュール；及び
ビデオ配給業者に生で送信するためにビデオ通話信号を準備し、送信するための出力ユニット；を含む、前記ビデオ通話参加型テレビジョンシステム。
（構成８５）
前記発信者取得モジュールが、ビデオ電話通話を行うためにインターネットを使用するボイスオーバーアイピー（VoIP）アプリケーションへの通信路を生成し、該通信路をオンにする又はオフにする選択肢を有する、構成84記載のビデオ通話参加型テレビジョンシステム。
【図１】
0006727196.tif 000002
【図２】
0006727196.tif 000003
【図３】
0006727196.tif 000004
【図４】
0006727196.tif 000005
【図５】
0006727196.tif 000006
【図６】
0006727196.tif 000007
【図７】
0006727196.tif 000008
【図８】
0006727196.tif 000009
【図９】
0006727196.tif 000010
【図１０】
0006727196.tif 000011
【図１１】
0006727196.tif 000012
【図１２】
0006727196.tif 000013
【図１３】
0006727196.tif 000014
【図１４】
0006727196.tif 000015
【図１５】
0006727196.tif 000016
【図１６】
0006727196.tif 000017
【図１７】
0006727196.tif 000018
【図１８】
0006727196.tif 000019
【図１９】
0006727196.tif 000020
【図２０】
0006727196.tif 000021
【図２１】
0006727196.tif 000022
【図２２】
0006727196.tif 000023